(57)【要約】【目的】携帯型或いは車載用でありながら販売店などに設置されたダウンロード装置によらずに更新ソフトウェアのダウンロードが行えるディジタル放送受信装置を提供する。【構成】携帯型として構成されたディジタル放送受信装置３１の地上波ディジタルチューナ３０は、ディジタル放送波の強階層信号を復調し、デマルチプレクス処理を行い、ＭＰＥＧ４のビデオ／オーディオストリーム、及びＰＳＩ／ＳＩ等を出力する。また、地上波ディジタルチューナ３０は、前記強階層に載せられたソフトウェア更新情報を取得し、この情報によってソフトウェア更新が予定されていることを認識した場合に詳細情報としてディジタル放送波の弱階層に載せられたソフトウェア更新情報を取得し、この弱階層のソフトウェア更新情報に基づいて更新ソフトウェアをダウンロードするように構成されている。【選択図】　　　　　　　　図１
2004023584.tif 000002
【特許請求の範囲】
【請求項１】
ディジタル放送波の強階層に載せられたソフトウェア更新情報を取得する手段と、前記ソフトウェア更新情報によってソフトウェア更新が予定されていることを認識した場合に詳細情報として弱階層に載せられたソフトウェア更新情報を取得し、この弱階層のソフトウェア更新情報に基づいて更新ソフトウェア及び／又は更新データをダウンロードする手段と、を備えたことを特徴とするディジタル放送受信装置。
【請求項２】
請求項１に記載のディジタル放送受信装置において、弱階層のソフトウェア更新情報を取得する場合に利用者への要請を画面表示するように構成されたことを特徴とするディジタル放送受信装置。
【請求項３】
請求項１又は請求項２に記載のディジタル放送受信装置において、同時には二以上の階層の受信は行えず、一つの階層のみを受信するように構成されたことを特徴とするディジタル放送受信装置。
【請求項４】
請求項１乃至請求項３のいずれかに記載のディジタル放送受信装置において、利用者の操作を監視し、操作が所定時間行われていないとの判断がなされたときに更新ソフトウェア及び／又は更新データをダウンロードするように構成されたことを特徴とするディジタル放送受信装置。
【発明の詳細な説明】
【０００１】
【産業上の利用分野】
この発明は、地上波ディジタル放送を受信するディジタル放送受信装置に関する。
【０００２】
【従来の技術】
地上波を用いたディジタル放送では、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）と呼ばれる伝送方式が用いられ、当該放送波を受信するディジタル放送受信装置としては、家屋内に固定的に設置される固定設置型装置の他に、携帯機器に受信機能が付加されたもの（以下、携帯型装置という）や車などの移動体において使用されることを目的とした機器（以下、車載用装置という）としての利用を想定している。このため、単一の伝送路符号化での放送だけでなく、複数の異なる伝送路符号化を用いる階層伝送を行うことが考えられている。この階層伝送においては最大３つの階層が用いられ、所要Ｃ／Ｎ比が低い順に、強階層、中階層、弱階層が存在する。そして、携帯型装置向けには強階層放送が行われ、車載用装置向けには強階層放送及び中階層放送が行われる。このため、携帯型装置及び車載用装置では弱階層放送を受信する構成にはならない。
【０００３】
【発明が解決しようとする課題】
ところで、ディジタル放送受信装置においては、放送波を利用したソフトウェア更新機能を備えることが可能である。地上波ディジタル放送においても、ソフトウェア更新情報（ＳＤＴＴ：Ｓｏｆｔｗａｒｅ　Ｄｏｗｎｌｏａｄ　Ｔｒｉｇｇｅｒ　Ｔａｂｌｅ）が強階層及び弱階層にて放送されるが、更新するソフトウェア自体は弱階層で放送されるため、携帯型装置及び車載用装置ではソフトウェアの更新を放送波を用いて行うことはできず、例えば、販売店などに設置されたダウンロード装置を通じてダウンロードを行うことが考えられている。
【０００４】
この発明は、上記の事情に鑑み、携帯型装置や車載用装置でありながら更新ソフトウェアのダウンロードが行えるディジタル放送受信装置を提供することを目的とする。
【０００５】
【課題を解決するための手段】
この発明のディジタル放送受信装置は、上記の課題を解決するために、ディジタル放送波の強階層に載せられたソフトウェア更新情報を取得する手段と、前記ソフトウェア更新情報によってソフトウェア更新が予定されていることを認識した場合に詳細情報として弱階層に載せられたソフトウェア更新情報を取得し、この弱階層のソフトウェア更新情報に基づいて更新ソフトウェア及び／又は更新データをダウンロードする手段と、を備えたことを特徴とする。
【０００６】
上記の構成であれば、通常はディジタル放送の強階層又は強階層と中階層を受信する非固定型のディジタル放送受信装置として受信映像表示を行う一方、更新ソフトウェア及び／又は更新データのダウンロードに関しては自らが弱階層受信を行うことになり、販売店などに設置されたダウンロード装置によらずにダウンロードを実行することができる。
【０００７】
弱階層のソフトウェア更新情報を取得する場合に利用者への要請を画面表示するように構成されているのがよい。上記要請としては、外部アンテナの接続要請や電波受信状況が良い場所への移動要請等がある。
【０００８】
同時には二以上の階層の受信は行えず、一つの階層のみを受信するように構成されているのがよい。更新ソフトウェア及び／又は更新データのダウンロードを行いつつ受信映像表示を行いたいとする要望は少ないと考えられ、また、二以上の階層の同時受信を行うこととすれば情報処理量が増大してしまうが、一つの階層のみを受信することとすれば、情報処理量は少なくて済む。
【０００９】
利用者の操作を監視し、操作が所定時間行われていないとの判断がなされたときに更新ソフトウェア及び／又は更新データをダウンロードするように構成されているのがよい。これによれば、例えば視聴優先とした場合のチャンネル変更によるダウンロード不履行が生じたり、その逆にダウンロード優先とした場合の利用者による番組視聴の制限といった不都合を回避することができる。
【００１０】
【発明の実施の形態】
以下、この発明の実施形態を図１及び図２に基づいて説明する。図１は地上ディジタル放送波の強階層を受信して映像表示すると共に更新ソフトウェアのダウンロードのために弱階層の受信も行える携帯型ディジタル放送受信装置３１を示したブロック図であり、図２は更新ソフトウェアのダウンロード時の処理内容を示したフローチャートである。
【００１１】
携帯型ディジタル放送受信装置３１は電池２１によって駆動され、映像を液晶表示パネル２上に映し出すとともに、音声をイヤホン３から出力する。液晶表示パネル２上にはタッチパネル１１が貼られており、タッチペン等によってパネル操作を行って所望の指示を与えることができる。以下、受信装置３１の具体的構成について更に述べていく。
【００１２】
地上波ディジタルチューナ３０は、復調回路、逆インタリーブ回路、誤り訂正回路などを備え、強階層のディジタル変調信号を復調してトランスポート・ストリームを出力し、更にデマルチプレクス処理を行い、トランスポート・ストリームを、ＭＰＥＧ４（Ｍｏｖｉｎｇ　Ｐｉｃｔｕｒｅ　Ｅｘｐｅｒｔｓ　Ｇｒｏｕｐ４）のビデオ／オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。ＰＳＩ／ＳＩに含まれる番組情報等はシステムバス１３を介してＣＰＵ９に供給される。また、地上波ディジタルチューナ３０は、更新ソフトウェアや更新データのダウンロード実行のために、弱階層の受信をも行うようになっている。ただし、この実施形態では、強階層と弱階層の同時受信は行えず、一つの階層のみ受信するようにしている。
【００１３】
ＭＰＥＧ４デコーダ４は、ビデオストリームを復号して量子化係数や動きベクトルを求め、逆ＤＣＴ変換や動きベクトルに基づく動き補償制御などを行って映像データを生成し、これをグラフィックスコントローラ５に供給する。グラフィックスコントローラ５は映像データ（例えば、Ｒ，Ｇ，Ｂデータ）に対して色調整等の処理を施す。また、グラフィックスコントローラ５は、ＣＰＵ９から出力指示された文字等（操作ボタン、メニュー画面、地上波ディジタル放送から取得した番組情報によるＥＰＧ画面等）を液晶表示パネル２に表示する処理も行う。オーディオデコーダ６は、オーディオストリームを復号して音声データを生成する。ＳＤＲＡＭ１０はＭＰＥＧ４デコーダ４の上記処理において利用される。
【００１４】
ＬＣＤコントローラ７は、グラフィックスコントローラ５から供給された映像データに基づいて液晶表示パネル２を駆動する。Ｄ／Ａ変換器８は、オーディオデコーダ６から出力された音声データを受け取ってＤ／Ａ変換を行い、右（Ｒ）音のアナログ信号および左（Ｌ）音のアナログ信号を生成してイヤホン３に与える。
【００１５】
タッチパネル１１に対する操作情報は、専用インターフェイス１２、及びシステムバス１３を介してＣＰＵ９に与えられる。ＣＰＵ９は上記操作情報と液晶表示パネル２上の操作ボタン等の表示との対応によって指令内容を把握して必要な処理を実行する。
【００１６】
本体キー１４は視聴に関する操作ボタン（音量、チャンネル等）である。この本体キー１４に対する操作情報は、インターフェイス１５及びシステムバス１３を介してＣＰＵ９に与えられる。ＣＰＵ９は上記操作情報に基づいて必要な処理を実行する。
【００１７】
ＣＰＵ９は、この携帯型ディジタル放送受信装置３１における全体制御を行うものであり、通常のディジタル放送受信処理の他、自機のためのＳＤＴＴ監視処理、更新ソフトウェアのダウンロード処理等を行う。
【００１８】
図２のフローチャートに基づいて受信装置３１のダウンロード処理について説明していく。受信装置３１は放送受信中において強階層ＳＤＴＴの受信内容を解析する（ステップＳ１、ステップＳ２）。そして、放送波によるソフトウェア更新があるかどうかを判断し（ステップＳ３）、更新がない場合には（ステップ３でＮＯ）、液晶表示画面上でソフトウェア更新がないことをユーザに通知する（ステップＳ４）。一方、ソフトウェア更新がある場合には（ステップ３でＹＥＳ）、ダウンロードのための選局情報を受信し（ステップＳ５）、ソフトウェア更新があること及び例えば外部アンテナの接続要請のメッセージを液晶表示画面において行う（ステップＳ６）。
【００１９】
ユーザが液晶表示画面上のタッチパネルを用いてソフトウェア更新実行の承諾を与えると（ステップＳ７）、一定時間の待機を行う（ステップＳ８）。一定時間ユーザの操作がないかどうかを判断し（ステップＳ９）、操作があった場合には更に一定時間待機する（ステップＳ８に戻る）。一定時間ユーザの操作がなかった場合には、ソフトウェア更新チャンネルの弱階層を選局し、受信レベルを解析する（ステップＳ１０）。受信レベルが十分でない場合には（ステップＳ１１でＮＯ）ステップＳ８に戻り、受信レベルが十分である場合には（ステップＳ１１でＹＥＳ）、弱階層ＳＤＴＴを取得し、解析を行う（ステップＳ１２）。そして、ソフトウェア更新チャンネルの強階層を選局し、ＴＯＴ（時刻情報）を取得する（ステップＳ１３）。
【００２０】
そして、次回のソフトウェア更新の一定時間前になるまで待機し（ステップＳ１４）、一定時間ユーザの操作がないかどうかを判断する（ステップＳ１５）。操作があった場合にはステップＳ１４に戻り、操作がなかった場合にはソフトウェア更新チャンネルの強階層を選局し、ＴＯＴ及びＰＭＴ＿ＰＩＤ（ＰＭＴ：プログラムマップドテーブル、ＰＩＤ：パケットＩＤ）を取得する（ステップＳ１６）。そして、ソフトウェア更新チャンネルの弱階層を選局し、弱階層ＳＤＴＴを取得する（ステップ１７）。その後、弱階層ＳＤＴＴに変更がないかどうかを判断し（ステップＳ１８）、変更がある場合にはステップＳ１６に進む。
【００２１】
ステップＳ１８において弱階層ＳＤＴＴに変更がないと判断した場合には、ＰＭＴによって更新ソフトウェアが載せられているＰＩＤを取得する（ステップＳ１９）。そして、このＰＩＤによって更新ソフトウェアを分離し（ステップＳ２０）、更新ソフトウェアを取得する（ステップＳ２１）。次に、取得したソフトウェアが正常であるかどうかを判断する（ステップＳ２２）。正常でない場合には、ステップＳ１６に戻り、正常である場合には更新ソフトウェアをメモリに書込み、受信装置３１の再起動を行う（ステップＳ２３）。そして、受信装置３１の液晶表示画面において、ソフトウェア更新の成功をユーザに通知する（ステップＳ２４）。
【００２２】
上記構成のディジタル放送受信装置３１であれば、通常はディジタル放送の強階層を受信する携帯型のディジタル放送受信装置として受信映像表示を行うとともに、更新ソフトウェア及び／又は更新データのダウンロードに関して自らが弱階層受信を行うことになり、販売店などに設置されたダウンロード装置によらずにダウンロードを実行することができる。また、この実施形態では、弱階層のソフトウェア更新情報を取得する場合に利用者への要請を画面表示することとし、この要請として外部アンテナの接続を挙げたが、電波受信状況が良い場所への移動要請等を行うようにしてもよく、要は、弱階層受信に好適となる措置をユーザに要請する。また、この実施形態では、同時には二以上の階層の受信は行えず、一つの階層のみを受信するように構成したが、これは、更新ソフトウェア及び／又は更新データのダウンロードを行いつつ受信映像表示を行いたいとする要望は少ないと考えられ、また、二以上の階層の同時受信を行うこととすれば情報処理量が増大してしまうが、一つの階層のみを受信することとすれば、情報処理量は少なくて済むからである。ただし、二以上の階層の同時受信を行う構成を排除するものではなく、かかる構成の場合には、図２に示した処理に比べて処理の簡素化が図れる利点がある。また、この実施形態では、利用者の操作を監視し、操作が所定時間行われていないとの判断がなされたときに更新ソフトウェア及び／又は更新データをダウンロードするようにしたので、例えば視聴優先とした場合のチャンネル変更によるダウンロード不履行が生じたり、その逆にダウンロード優先とした場合の利用者による番組視聴の制限といった不都合を回避することができる。なお、上記実施形態では、携帯型のディジタル放送受信装置３１を示したが、移動体用のディジタル放送受信装置（強階層及び中階層受信）にも適用できる。
【００２３】
【発明の効果】
以上説明したように、この発明によれば、携帯型や車載用のディジタル放送受信装置でありながら販売店などに設置されたダウンロード装置によらずに更新ソフトウェアのダウンロードが行えるという効果を奏する。
【図面の簡単な説明】
【図１】この発明の実施形態の携帯型のディジタル放送受信装置を示したブロック図である。
【図２】ダウンロード時の処理内容を示したフローチャートである。
【符号の説明】
４　　ＭＰＥＧ４デコード
９　　ＣＰＵ
３０　地上波ディジタルチューナ
３１　携帯型のディジタル放送受信装置
＋
【図１】
2004023584.tif 000003
【図２】
2004023584.tif 000004